(57)【要約】【課題】ジェスチャを用いて手書き文字入力の入力領域の大きさを動的に変更できる文字入力装置を提供する。【解決手段】接触検出部１１が操作子として接触を検出している間、接触検出部１１より出力される接触情報１１１より、第１の文字入力領域から第１の文字入力領域に隣接する第２の文字入力領域の移動の回数をカウントして移動回数情報１２１として出力する移動回数カウント部１２と、移動回数情報１２１の回数が予め指定した回数以上の場合、入力領域変更情報１３１を出力する入力領域変更判定部１３と、入力領域変更情報１３１を基に表示情報１４１を生成する表示制御部とを備える。【選択図】図１
2014002568.tif 000002
【特許請求の範囲】
【請求項１】
第１の文字入力領域と、前記第１の文字入力領域に隣接する第２の文字入力領域を表示する表示部と、
前記第１の文字入力領域および前記第２の文字入力領域への操作子の接触を検出する接触検出部と、
前記接触検出部が前記操作子の接触を検出している間、前記第１の文字入力領域から前記第２の文字入力領域へ前記操作子が移動した回数を計数する移動回数計数部と、
前記回数が一定回数以上の場合に、前記第１の文字入力領域と前記第２の文字入力領域とを結合するよう判定する入力領域変更判定部と、
を有する文字入力装置。
【請求項２】
第１の文字入力領域と、前記第１の文字入力領域に隣接する第２の文字入力領域を表示する表示部と、
前記第１の文字入力領域および前記第２の文字入力領域への操作子の接触を検出する接触検出部と、
前記接触検出部が前記操作子の接触を検出している間、前記第１の文字入力領域から前記第２の文字入力領域へ前記操作子が移動した回数を計数する移動回数計数部と、
前記回数が一定回数以上の場合に、前記表示部に表示される文字入力領域の個数を減らすよう判定する入力領域変更判定部と、
を有する文字入力装置。
【請求項３】
前記表示部に表示される文字入力領域の個数として、第１の個数と、前記第１の個数より少ない第２の個数とを記憶する記憶部を、さらに備え、
前記入力領域変更判定部は、前記回数が一定回数以上であり、かつ、前記表示部に表示されている文字入力領域の個数が第１の個数である場合に、前記表示部に表示される文字入力領域の個数を第２の個数に変更するよう判定する請求項２記載の文字入力装置。
【請求項４】
前記第２の文字入力領域は、第１の判定領域と、前記第１の文字入力領域から前記第１の判定領域より離間した位置にある第２の判定領域とを備え、
前記第１の文字入力領域から前記第２の文字入力領域へ前記操作子が移動したときの接触位置が前記第２の判定領域に到達したか否かを判定する離間距離判定部をさらに備え、
前記記憶部は、前記表示部に表示される文字入力領域の個数として、前記第１の個数と、前記第２の個数と、前記第２の個数より少ない第３の個数とを記憶し、
前記入力領域変更判定部は、前記回数が一定回数以上であり、かつ、前記表示部に表示されている文字入力領域の個数が第１の個数である場合に、前記離間距離判定部の判定結果に応じて、前記表示部に表示される文字入力領域の個数を前記第２の個数または前記第３の個数に変更する請求項３記載の文字入力装置。
【請求項５】
前記入力領域変更判定部は、前記回数が一定回数以上であり、かつ、前記表示部に表示されている文字入力領域の個数が第１の個数であるとき、
前記第１の文字入力領域から前記第２の文字入力領域へ前記操作子が移動したときの接触位置が前記第２の判定領域に到達していない場合、文字入力領域の個数を前記第２の個数に変更し、
前記第１の文字入力領域から前記第２の文字入力領域へ前記操作子が移動したときの接触位置が前記第２の判定領域に到達している場合、文字入力領域の個数を前記第３の個数に変更する請求項４記載の文字入力装置。
【請求項６】
請求項１乃至５のいずれか一項に記載の文字入力装置を備えた電子機器。
【請求項７】
第１の文字入力領域と、前記第１の文字入力領域に隣接する第２の文字入力領域を表示する表示ステップと、
前記第１の文字入力領域および前記第２の文字入力領域への操作子の接触を検出する接触検出ステップと、
前記接触検出ステップで前記操作子の接触を検出している間、前記第１の文字入力領域から前記第２の文字入力領域へ前記操作子が移動した回数を計数する移動回数計数ステップと、
前記回数が一定回数以上の場合に、前記第１の文字入力領域と前記第２の文字入力領域とを結合するよう判定する入力領域変更判定ステップと、
を有する文字入力方法。
【請求項８】
第１の文字入力領域と、前記第１の文字入力領域に隣接する第２の文字入力領域を表示する表示ステップと、
前記第１の文字入力領域および前記第２の文字入力領域への操作子の接触を検出する接触検出ステップと、
前記接触検出ステップで前記操作子の接触を検出している間、前記第１の文字入力領域から前記第２の文字入力領域へ前記操作子が移動した回数を計数する移動回数計数ステップと、
前記回数が一定回数以上の場合に、前記表示部に表示する文字入力領域の個数を減らすよう判定する入力領域変更判定ステップと、
を有する文字入力方法。
【発明の詳細な説明】
【技術分野】
【０００１】
本発明は、文字入力装置、これを備えた電子機器及び文字入力方法に関し、特に、タッチパネルなどのタッチセンサを有し、複数の文字入力領域を結合する技術を備えた文字入力装置、これを備えた電子機器及び文字入力方法に関する。
【背景技術】
【０００２】
近年、タッチパネルやタッチパッドなどのタッチセンサを搭載し、文字をキーボードからではなく、指やスタイラスなどを操作して文字入力できる電子機器が増えている。
【０００３】
しかしながら、画面の大きさの制限があるために文字の入力領域を書きやすい大きさにすることが難しいという問題がある。したがって、かなや英数字などの画数の少ない文字を入力する場合には、文字の入力領域が狭くても文字を書くことができるが、漢字などの画数の多い文字を入力する場合には、文字の入力領域ができるだけ大きい方が書きやすい。このため、画数の多少に応じて利用者が文字の入力領域の大きさを変更する必要が生じた。
【０００４】
ここで、ジェスチャを用いて動的に変更できる仕組みを検討した。従来、ジェスチャに意味を持たせて動作させる方法として以下の技術が知られている。（例えば、特許文献１、特許文献２参照）
特許文献１によれば、手書きで入力した文字に対して、取り消し線(例えば、二重線)をジェスチャで入力することで、既に入力した文字を消去できる。
【０００５】
特許文献２によれば、利用者が手書き入力領域に入力したジェスチャの種類（例えば、三角形、四角形）を判別して画面の拡大／縮小など複数の動作を行うことが可能となる。
【先行技術文献】
【特許文献】
【０００６】
【特許文献１】特開平９−１６１０８８号公報
【特許文献２】特開２００５−１１５９０７号公報
【発明の概要】
【発明が解決しようとする課題】
【０００７】
しかしながら、上記従来の特許文献１、特許文献２のどちらの文献も、文字の入力領域の大きさを変更するものではなく、表示している画像の消去、拡大縮小を行うものである。
【０００８】
本発明は、上記実情に鑑みて為されたものであり、ジェスチャを用いて手書き文字入力の入力領域の大きさを動的に変更できる文字入力装置、これを備えた電子機器及び文字入力方法を提供することを目的とする。
【課題を解決するための手段】
【０００９】
前記従来の課題を解決するため、本発明の文字入力装置は、第１の文字入力領域と、前記第１の文字入力領域に隣接する第２の文字入力領域を表示する表示部と、前記第１の文字入力領域および前記第２の文字入力領域への操作子の接触を検出する接触検出部と、前記接触検出部が前記操作子の接触を検出している間、前記第１の文字入力領域から前記第２の文字入力領域へ前記操作子が移動した回数を計数する移動回数計数部と、前記回数が一定回数以上の場合に、前記第１の文字入力領域と前記第２の文字入力領域とを結合するよう判定する入力領域変更判定部と、を備えた構成を有する。
【００１０】
この構成により、第１と第２の文字入力領域を移動した回数があらかじめ指定した回数を超える場合に統合するとしたことにより、文字入力中に文字入力領域からはみ出た場合との区別がつくため誤動作を防止でき、第１と第２の文字入力領域の境界部分を消すというイメージで、利用者が直感的に文字入力領域を統合できすることが可能となる。
【００１１】
また、本発明の文字入力装置は、第１の文字入力領域と、前記第１の文字入力領域に隣接する第２の文字入力領域を表示する表示部と、前記第１の文字入力領域および前記第２の文字入力領域への操作子の接触を検出する接触検出部と、前記接触検出部が前記操作子の接触を検出している間、前記第１の文字入力領域から前記第２の文字入力領域へ前記操作子が移動した回数を計数する移動回数計数部と、前記回数が一定回数以上の場合に、前記表示部に表示される文字入力領域の個数を減らすよう判定する入力領域変更判定部と、を備えた構成を有する。
【００１２】
この構成により、第１と第２の文字入力領域の境界部分を消すというイメージで、利用者が直感的に文字入力領域の個数を減らすことが可能となる。
【００１３】
また、本発明の文字入力装置に、前記表示部に表示される文字入力領域の個数として、第１の個数と、前記第１の個数より少ない第２の個数とを記憶する記憶部を、さらに備え、前記入力領域変更判定部は、前記回数が一定回数以上であり、かつ、前記表示部に表示されている文字入力領域の個数が第１の個数である場合に、前記表示部に表示される文字入力領域の個数を第２の個数に変更するよう判定する構成を有する。
【００１４】
この構成により、第１と第２の文字入力領域の境界部分を消すというイメージで、利用者が直感的に文字入力領域の個数をあらかじめ指定した任意の個数に減らすことが可能となる。
【００１５】
また、本発明の文字入力装置は、前記第２の文字入力領域は、第１の判定領域と、前記第１の文字入力領域から前記第１の判定領域より離間した位置にある第２の判定領域とを備え、前記第１の文字入力領域から前記第２の文字入力領域へ前記操作子が移動したときの接触位置が前記第２の判定領域に到達したか否かを判定する離間距離判定部をさらに備え、前記記憶部は、前記表示部に表示される文字入力領域の個数として、前記第１の個数と、前記第２の個数と、前記第２の個数より少ない第３の個数とを記憶し、前記入力領域変更判定部は、前記回数が一定回数以上であり、かつ、前記表示部に表示されている文字入力領域の個数が第１の個数である場合に、前記離間距離判定部の判定結果に応じて、前記表示部に表示される文字入力領域の個数を前記第２の個数または前記第３の個数に変更する構成を有する。
【００１６】
この構成により、第１と第２の文字入力領域の境界部分を消すというイメージで、操作子の接触位置が第２の文字入力領域に到達した場合に、利用者があらかじめ設定した入力領域の個数に変更することができる。
【００１７】
また、本発明の文字入力装置は、前記回数が一定回数以上であり、かつ、前記表示部に表示されている文字入力領域の個数が第１の個数であるとき、前記第１の文字入力領域から前記第２の文字入力領域へ前記操作子が移動したときの接触位置が前記第２の判定領域に到達していない場合、文字入力領域の個数を前記第２の個数に変更し、前記第１の文字入力領域から前記第２の文字入力領域へ前記操作子が移動したときの接触位置が前記第２の判定領域に到達している場合、文字入力領域の個数を前記第３の個数に変更する構成を有する。
【００１８】
この構成により、第１と第２の文字入力領域の境界部分を消すというイメージで、操作子の接触位置が第２の文字入力領域に到達した場合と到達しなかった場合に、それぞれの状況に応じてあらかじめ設定した入力領域の個数に変更することができる。
【００１９】
また、本発明の文字入力装置は、請求項１乃至５のいずれか一項に記載の文字入力装置を備えた電子機器であることを有する。
【００２０】
上記電子機器により、第１と第２の文字入力領域を移動した回数があらかじめ指定した回数を超える場合に統合するとしたことにより、文字入力中に文字入力領域からはみ出た場合との区別がつくため誤動作を防止でき、第１と第２の文字入力領域の境界部分を消すというイメージで、利用者が直感的に文字入力領域の大きさや個数を自由に変更することが可能となる。
【００２１】
また、本発明の文字入力方法は、第１の文字入力領域と、前記第１の文字入力領域に隣接する第２の文字入力領域を表示する表示ステップと、前記第１の文字入力領域および前記第２の文字入力領域への操作子の接触を検出する接触検出ステップと、前記接触検出ステップで前記操作子の接触を検出している間、前記第１の文字入力領域から前記第２の文字入力領域へ前記操作子が移動した回数を計数する移動回数計数ステップと、前記回数が一定回数以上の場合に、前記第１の文字入力領域と前記第２の文字入力領域とを結合するよう判定する入力領域変更判定ステップと、を有する。
【００２２】
上記手順により、第１と第２の文字入力領域を移動した回数があらかじめ指定した回数を超える場合に統合するとしたことにより、文字入力中に文字入力領域からはみ出た場合との区別がつくため誤動作を防止でき、第１と第２の文字入力領域の境界部分を消すというイメージで、利用者が直感的に文字入力領域を統合できすることが可能となる。
【００２３】
また、本発明の文字入力方法は、第１の文字入力領域と、前記第１の文字入力領域に隣接する第２の文字入力領域を表示する表示ステップと、前記第１の文字入力領域および前記第２の文字入力領域への操作子の接触を検出する接触検出ステップと、前記接触検出ステップで前記操作子の接触を検出している間、前記第１の文字入力領域から前記第２の文字入力領域へ前記操作子が移動した回数を計数する移動回数計数ステップと前記回数が一定回数以上の場合に、前記表示部に表示する文字入力領域の個数を減らすよう判定する入力領域変更判定ステップと、を有する。
【００２４】
上記手順により、第１と第２の文字入力領域の境界部分を消すというイメージで、利用者が直感的に文字入力領域の個数を減らすことが可能となる。
【発明の効果】
【００２５】
本発明の文字入力装置によれば、文字入力領域の統合を直感的に操作することができ、利用者の利便性が向上することが可能となる。
【図面の簡単な説明】
【００２６】
【図１】本発明の実施の形態１における文字入力装置の構成図
【図２】本発明の実施の形態１における文字入力装置の動作を説明するフローチャート
【図３】本発明の実施の形態１における文字入力装置の動作を説明するためのタッチパネル付き表示画面を示す図
【図４】本発明の実施の形態２における文字入力装置の構成図
【図５】本発明の実施の形態２における文字入力装置の動作を説明するフローチャート
【図６】本発明の実施の形態２における文字入力装置の動作を説明するためのタッチパネル付き表示画面を示す図
【図７】本発明の実施の形態３における文字入力装置の構成図
【図８】本発明の実施の形態３における文字入力装置の動作を説明するフローチャート
【図９】本発明の実施の形態３における文字入力装置の動作を説明するためのタッチパネル付き表示画面を示す図
【発明を実施するための形態】
【００２７】
以下、本発明を実施するための形態について、図面を参照しながら説明する。なお、実施の形態を説明するための全図において、同一の構成要素には同一の符号を付与し、重複する説明は省略する。
【００２８】
（実施の形態１）
図１は、本発明の実施の形態１における文字入力装置の構成図、図２は、同文字入力装置の全体の動作を説明するフローチャート、図３は、同文字入力装置の表示結果を説明する図である。
【００２９】
図１に示すように、文字入力装置１は、接触検出部１１、移動回数カウント部１２、入力領域変更判定部１３、表示制御部１４、表示部１５を備える。
【００３０】
接触検出部１１は、筐体の表面に配置されたタッチパネルに代表される入力装置２に対して、外部から文字入力領域に操作子の接触があったことを検出し、どの部分に接触があったかの情報である接触情報１１１を出力する。
【００３１】
移動回数カウント部１２（移動回数計数部）は、操作子が文字入力領域に接触している情報である接触情報１１１に基づいて、操作子が接触している間、操作子が移動した回数をカウントし、移動回数情報１２１として出力する。
【００３２】
入力領域変更判定部１３は、移動回数情報１２１の回数が予め指定した回数以上になった時に入力領域変更情報１３１を出力する。
【００３３】
表示制御部１４は、入力領域変更情報１３１から表示部１５に表示するためのデータである表示情報１４１を生成して出力する。
【００３４】
表示部１５は、液晶ディスプレイや有機ＥＬディスプレイなどに代表される文字や画像、動画などを表示できるものであり、文字入力領域を統合した結果である表示情報１４１を表示する。なお、文字入力領域（統合前の第１と第２の文字入力領域も含む）の他に文字削除や文字確定などの制御ボタンなども表示されている。
【００３５】
次に、本発明の実施の形態１について、その動作を、図２、図３を用いて説明する。
【００３６】
図２は、本発明の実施の形態１における文字入力装置１の文字入力領域統合の処理手順を示すフローチャートである。
【００３７】
図２に示すように、まず、接触検出部１１は、入力装置２に外部から文字入力領域に接触があると文字入力領域のどの場所に接触があるかの接触情報１１１を出力する（ステップＳ１０１、ステップＳ１０２：ＹＥＳ）。一方、入力装置２に外部から接触がない場合（ステップＳ１０２：ＮＯ）は、接触入力の取得処理に戻る（ステップＳ１０１）。
【００３８】
次に、移動回数カウント部１２は、操作子が入力装置２に接触している間、接触情報１１１に基づいて、接触した文字入力領域（第１の文字入力領域とする）から別の文字入力領域（第２の文字入力領域とする）に移動したかを判定し、第２の文字入力領域に移動した場合に、第１の文字入力領域から移動した回数を数える（ステップＳ１０３：ＹＥＳ、ステップＳ１０４）。一方、操作子が第２の文字入力領域に移動していない場合には（ステップＳ１０３：ＮＯ）、接触入力の取得処理に戻る（ステップＳ１０１）。
【００３９】
次に、入力領域変更判定部１３は、第２の文字入力領域に移動した回数が事前に指定した回数より多いと判定した場合に、入力領域変更情報１３１を表示制御部１４に出力する（ステップＳ１０５：ＹＥＳ）。一方、第２の文字入力領域に移動した回数が指定した回数より少ないと判定した場合（ステップＳ１０５：ＮＯ）は、文字入力領域の変更を行わないと判断して接触入力の取得処理に戻る（ステップＳ１０１）。
【００４０】
次に、表示制御部１４は、入力領域変更情報１３１に基づいて表示情報１４１に出力し、表示部１５は、表示情報１４１を表示する（ステップＳ１０６）。
【００４１】
図３は、本発明の実施の形態１における文字入力装置の動作を説明するためのタッチパネル付き表示画面９１を示す図であり、入力装置２と接触検出部１１と表示制御部１４、表示部１５に関連する。
【００４２】
図３（Ａ）に示すように、タッチパネル付き表示画面９１は、第１の文字入力領域９２、第２の文字入力領域９３、制御ボタン９４を備える。
【００４３】
図３（Ｂ）に示すように、第１の文字入力領域９２と第２の文字入力領域９３をまたぐように線（操作子）を書き、入力領域変更判定部１３で第１の文字入力領域９２と第２の文字入力領域９３を事前に指定した回数以上の移動があったと判定した場合に入力領域変更情報１３１を出力し、表示制御部１４から表示情報１４１として、図３（Ｃ）に示すように、第１の文字入力領域９２と第２の文字入力領域９３を統合した文字入力領域９５を表示部１５に表示する。
【００４４】
なお、ここでは文字入力領域を統合としたが、図３（Ｂ）から図３（Ｃ）の文字入力領域の個数が２個から１個に減っていることから分かるように、同じ動作で文字入力領域にの個数を減らすことも可能である。
【００４５】
このように、本発明の実施の形態１によれば、文字入力装置１において、複数の文字入力領域を往復する、すなわち文字入力領域の境界線を消す動作（ジェスチャ）を行うことにより利用者のイメージに一致した方法で文字入力領域を統合でき、利便性を向上できる。
【００４６】
また、文字入力領域の境界線を移動する回数を事前に指定した回数以上に設定することによって、文字入力領域を統合するジェスチャと文字入力の区別が可能であるため、誤動作を防止することができる。
【００４７】
（実施の形態２）
次に、本発明の実施の形態２について説明する。本発明の実施の形態２は、既に説明した本発明の実施の形態１における表示制御部に、文字入力領域の個数情報を加えている点に特徴がある。
【００４８】
図４は、本発明の実施の形態２における文字入力装置の構成図である。図４に示すように、文字入力装置２００は、図１に示す本発明の実施の形態１における文字入力装置１の構成に加えて、入力領域個数記憶部２１を備える。また、表示制御部２２は、表示部１５に表示情報２２１を出力するように構成されている。
【００４９】
入力領域個数記憶部２１は、文字入力領域の個数の変更があった場合に表示する文字入力領域の個数の情報が格納されている。
【００５０】
表示制御部２２は、現在表示している文字入力領域の個数情報と入力領域変更情報１３１の情報に基づき、入力領域個数情報２１１から表示部１５に表示する文字入力領域の個数を選択して、表示情報２２１として表示部１５に出力する。
【００５１】
次に、本発明の実施の形態２について、その動作を、図５、図６を用いて説明する。
【００５２】
図５は、本発明の実施の形態２における文字入力装置２００の文字入力領域統合の処理手順を示すフローチャートである。
【００５３】
図５に示すように、ステップＳ１０５までは本発明の実施の形態１と同じであるため説明を省略する。
【００５４】
表示制御部２２は、入力領域変更判定部１３で第１の文字入力領域から移動した回数を数えた結果が事前に指定した回数以上移動したと判定した結果である入力領域変更情報１３１より、表示する文字入力領域の個数を入力領域個数情報２１１から選択して、表示情報２２１生成して表示部１５に表示する（ステップＳ１０５：ＹＥＳ、ステップＳ２０１、ステップＳ１０６）。
【００５５】
図６は、本発明の実施の形態２における文字入力装置の動作を説明するためのタッチパネル付き表示画面２９１を示す図であり、入力装置２と接触検出部１１と入力領域個数情報記憶部２１と表示制御部２２、表示部１５に関連する。
【００５６】
図６（Ａ）に示すように、タッチパネル付き表示画面２９１は、手書き文字入力領域２９２から２９７、制御ボタン９４を備える。
【００５７】
図６（Ｂ）に示すように、手書き文字入力領域２９２と２９３の文字入力領域の境界を往復するように線（操作子）を書き、境界を事前に指定した回数以上移動した場合、すなわち入力領域変更情報１３１が文字入力領域統合を示しているとき、表示制御部２２が入力領域個数情報記憶部２１から入力領域個数情報２１１を得て、表示制御部２２に表示情報２２１として出力し、表示部１５に文字入力領域統合結果である図６（Ｃ）を表示する。
【００５８】
図６（Ｂ）から図６（Ｃ）の文字入力領域統合の処理と同じ手順で図６（Ｃ）から図６（Ｄ）の文字入力領域統合も実行される。
【００５９】
なお、図６（Ｅ）に示すように、手書き文字入力領域２９２から２９５の文字入力領域の境界を往復するように線を書き、入力領域変更判定部１３で文字入力領域の境界を事前に指定した回数以上移動した場合、表示制御部２２から表示部１５に文字入力領域統合結果である図６（Ｄ）を表示することもできる。さらに、図６（Ｄ）ではなく、図６（Ｃ）を表示することもできる。
【００６０】
このように、本発明の実施の形態２によれば、文字入力装置２００において、複数の文字入力領域を往復して境界線を消す動作（ジェスチャ）を行うことにより利用者のイメージに一致した方法で、事前に指定した文字入力領域の個数に減らすことができ、利便性を向上できる。
【００６１】
（実施の形態３）
次に、本発明の実施の形態３について説明する。本発明の実施の形態３は、すでに説明した本発明の実施の形態２における入力領域変更判定部に、判定情報として離間距離判定情報を加えている点に特徴がある。
【００６２】
図７は、本発明の実施の形態３における文字入力装置の構成図である。図７に示すように、文字入力装置３００は、図４に示す本発明の実施の形態２における文字入力装置２００の構成に加えて、移動距離判定部３１（離間距離判定部）を備える。また、移動回数カウント部３２は、入力領域判定部３３に移動回数判定結果情報３２１を出力し、入力領域判定部３３は、表示制御部３４に入力領域変更情報３３１を出力し、表示制御部３４は表示部１５に表示情報３４１を出力するように構成されている。
【００６３】
移動距離判定部３１は、接触検出部１１の接触情報１１１に基づいて、操作子が第１の判定領域から第２の判定領域に到達したか否かを判定した結果を移動距離判定結果情報３１１として出力する。
【００６４】
移動回数カウント部３２は、移動距離判定結果情報３１１に基づいて、第２の判定領域に達した場合の移動回数をカウントした結果を移動回数情報Ａ３２１として、第２の判定領域に達しなかった場合の移動回数をカウントした結果を移動回数情報Ｂ３２２として出力する。
【００６５】
入力領域判定部３３は、移動回数情報Ａ３２１と移動回数情報Ｂ３２２の２つの移動回数情報のどちらか一方が、事前に指定した回数以上になった場合は、指定した回数以上になった移動回数情報を入力領域変更情報３３１として出力する。
【００６６】
表示制御部３４は、現在表示している文字入力領域の個数情報と入力領域変更情報３３１の情報に基づき、入力領域個数情報２１１から表示させる文字入力領域の個数を選択して、表示情報３４１として表示部１５に出力する。
【００６７】
次に、本発明の実施の形態３について、その動作を、図８、図９を用いて説明する。
【００６８】
図８は、本発明の実施の形態３における文字入力装置３００の文字入力領域統合の処理手順を示すフローチャートである。
【００６９】
図８に示すように、ステップＳ１０２までは本発明の実施の形態２と同じであるため説明を省略する。
【００７０】
移動距離判定部３１は、接触情報１１１に基づいて、操作子が第１の判定領域から移動した場合、第２の判定領域に到達したか否かを判定し、移動回数カウント部３２は、第２の判定領域に達した場合に移動回数情報Ｂ３２２としてカウントし、第２の判定領域に達しなかった場合には移動回数情報Ａ３２１としてカウントする（ステップＳ３０１：ＹＥＳ、ステップＳ３０２：ＹＥＳ、ステップＳ３０３、ステップＳ３０４）。一方、移動距離判定部３１は、操作子が第１の判定領域から移動しない場合（ステップＳ３０１：ＮＯ）、文字入力領域の変更を行わないと判断して接触入力の取得処理に戻る（ステップＳ１０１）。
【００７１】
次に、入力領域変更判定部３３が、移動回数情報Ａ３２１と移動回数情報Ｂ３２２のどちらか一方が事前に指定した回数以上移動したと判定した場合、表示制御部３４は、表示する文字入力領域の個数を入力領域個数情報２１１から選択して、表示情報３４１を生成して表示部１５に表示する（ステップＳ１０５：ＹＥＳ、ステップＳ２０１、ステップＳ１０６）。
【００７２】
図９は、本発明の実施の形態３における文字入力装置の動作を説明するためのタッチパネル付き表示画面３９１を示す図であり、入力装置２、接触検出部１１、移動距離判定部３１、移動回数カウント部３２、入力領域変更判定部３３、入力領域個数情報記憶部２１と表示制御部３４、表示部１５に関連する。
【００７３】
図９（Ａ）に示すように、タッチパネル付き表示画面３９１は、手書き文字入力領域２９２から２９７、制御ボタン９４、第１の判定領域３９２と第２の判定領域３９３を備える。
【００７４】
図９（Ｂ）に示すように、横方向に第１の判定領域３９２と第２の判定領域３９３の文字入力領域を往復するように操作が行われた時、第２の判定領域３９３に達しない領域に対して事前に指定した回数以上（ここでは３回以上）移動した場合、表示制御部３４は、入力領域個数情報記憶部２１から第２の判定領域３９３に達しなかった時の入力領域個数情報２１１を選択して表示情報３４１として出力し、表示部１５に文字入力領域の変更結果として図９（Ｃ）を表示する。一方、図９（Ｄ）に示すように、第２の判定領域３９３に達した領域に対して事前に指定した回数以上（ここでは３回以上）移動した場合、表示制御部３４は、入力領域個数情報記憶部２１から第２の判定領域３９３に達した時の入力領域個数情報２１１を選択して表示情報３４１として出力し、表示部１５に文字入力領域の変更結果として図９（Ｅ）を表示する。
【００７５】
このように、本発明の実施の形態３によれば、文字入力装置３００において、第２の判定領域に達したか否かで変更する文字入力領域の個数を決めることができるという利便性がある。
【産業上の利用可能性】
【００７６】
本発明の文字入力装置は、携帯端末において、ジェスチャを用いて感覚的に手書きで文字を入力する領域の大きさの変更ができるため利便性が高まり、タッチパネルなどのタッチセンサを備えた携帯電話やＰＤＡ、スマートフォンなどの携帯端末装置に有用である。
【符号の説明】
【００７７】
１、２００、３００    文字入力装置
２    入力装置
３    表示装置
１１    接触検出部
１２、３２    移動回数カウント部
１３、３３    入力領域変更判定部
１４、２２、３４    表示制御部
２１    入力領域個数情報記憶部
３１    移動距離判定部
【図１】
2014002568.tif 000003
【図２】
2014002568.tif 000004
【図３】
2014002568.tif 000005
【図４】
2014002568.tif 000006
【図５】
2014002568.tif 000007
【図６】
2014002568.tif 000008
【図７】
2014002568.tif 000009
【図８】
2014002568.tif 000010
【図９】
2014002568.tif 000011